(57)【要約】【課題】地盤に対する噛み込みが十分で、いたずら等による引き抜きが困難な標示杭、およびその埋設方法を提供する。【解決手段】この標示杭Ａは、地盤２０に一部もしくは全部が埋入されるものであって、中心部に抜止め部材３が軸方向に移動可能に挿入されている。この抜止め部材３が、杭本体１の進出孔５から押し出されることにより、進出孔５の内面によって曲成されて杭本体１から側方へ突出する。進出孔５からの抜止め部材３の押し出しは、標示杭Ａを地盤２０に埋入したのち行う。【選択図】    図２
2004239818.tif 000002
【特許請求の範囲】
【請求項１】
地盤に一部もしくは全部が埋入される標示杭であって、
中心部に軸方向に移動可能に挿入された抜止め部材と、
杭本体に設けられた進出孔とを備え、
前記進出孔は、前記抜止め部材の一部分が、進出孔から押し出されることにより、進出孔の内面によって前記一部分を曲成して杭本体から側方へ突出させるように形成されている標示杭。
【請求項２】
請求項１において、前記中心部に軸方向に延びる保持部材が装着されており、
前記保持部材の先端に前記進出孔が設けられ、
前記保持部材の内部に前記抜止め部材が軸方向に移動可能に挿入されている標示杭。
【請求項３】
請求項１または２において、前記標示杭の頂面に前記抜止め部材を挿入する挿入孔が開口しており、この開口が、測量点を示す蓋により覆われている標示杭。
【請求項４】
請求項１、２または３において、前記抜止め部材は複数設けられ、その各基端部同士が接合されている標示杭。
【請求項５】
地盤に一部もしくは全部が埋入される標示杭の中心部に抜止め部材を軸方向に移動可能に挿入し、標示杭を地盤に埋入したのち、前記抜止め部材を、杭本体の先端部に設けた進出孔から押し出すことにより、進出孔の内面によって曲成して、杭本体から側方へ突出させる標示杭の埋設方法。
【発明の詳細な説明】
【０００１】
【発明の属する技術分野】
本発明は、土地の境界表示や区画番号などの地理的情報の標示に用いられる標示杭、およびその埋設方法に関するものである。
【０００２】
【従来の技術】
一般に、標示杭は、樹脂製で細長い形状を有して地盤に一部もしくは全部が埋入され、土地の境界表示や区画番号、基準点からの距離、測量点などの地理的情報が付される。
【０００３】
【発明が解決しようとする課題】
【０００４】
ところで、従来の標示杭は、地盤に打ち込んで埋設するだけであるため、地盤に対する噛み込みが十分であるとはいえず、いたずら等により引き抜かれる恐れがあった。この引き抜きを防止するために、杭本体の先端に抜止め用の爪部材を被せたものもある（特許文献１参照）。しかしながら、このような先端に被せた爪部材では、強い力で杭が引き抜かれると、杭本体から離脱することもあり、引抜き防止は十分でない。
【０００５】
【特許文献１】
特開平９−５３９４２号公報（図３）
【０００６】
そこで、本発明の目的は、地盤に対する噛み込みが十分で、いたずら等による引き抜きを困難にすることができる標示杭、およびその埋設方法を提供することである。
【０００７】
【課題を解決するための手段】
前記目的を達成するため、本発明の標示杭は、地盤に一部もしくは全部が埋入される標示杭であって、中心部に軸方向に移動可能に挿入された抜止め部材と、杭本体に設けられた進出孔とを備え、前記進出孔は、前記抜止め部材の一部分が、進出孔から押し出されることにより、進出孔の内面によって前記一部分を曲成して杭本体から側方へ突出させるように形成されている。
【０００８】
この構成によれば、抜止め部材の一部分が杭本体の先端部の進出孔から押し出されて、杭本体の側方へ突出するので、標示杭の引き抜きに対する大きな抵抗となる。しかも、抜止め部材の残りの部分が杭本体の中心部に保持されるので、抜止め部材が杭本体から離脱しにくい。その結果、標示杭のいたずら等による引き抜きを困難にすることができる。
【０００９】
好ましくは、前記中心部に軸方向に延びる保持部材が装着されており、前記保持部材の先端に前記進出孔が設けられ、前記保持部材の内部に前記抜止め部材が軸方向に移動可能に挿入されている。このように構成することにより、抜止め部材を、保持部材の内部に挿入した状態で、これを標示杭の成形型内に入れて標示杭を型成形する、いわゆるインサート成形が可能になり、生産性が向上する。
【００１０】
好ましくは、前記標示杭の頂面に前記抜止め部材を挿入する挿入孔が開口しており、この開口が、測量点を示す蓋により覆われている。これにより、測量点を表示する蓋を、標示杭の頂面に露出する挿入孔の開口を被覆する被覆部材として兼用でき、部材点数を低減できる。
【００１１】
好ましくは、前記抜止め部材は複数設けられ、その各基端部同士が接合されている。これにより、前記基端部を工具で押し込むことで、複数の抜止め部材を杭本体から突出させることができる。
【００１２】
本発明の標示杭の埋設方法は、地盤に一部もしくは全部が埋入される標示杭の中心部に抜止め部材を軸方向に移動可能に挿入し、標示杭を地盤に埋入したのち、前記抜止め部材を、杭本体の先端部に設けた進出孔から押し出すことにより、進出孔の内面によって曲成して、杭本体から側方へ突出させる。
【００１３】
このように、標示杭を地盤に埋入したのちに、抜止め部材を杭本体の先端部の進出孔から押し出すことにより、抜止め部材が地盤への標示杭の埋入の妨げになるのを回避でき、標示杭の地盤への埋入を容易に行うことがきるとともに、埋入後の標示杭の引き抜きを効果的に防止できる。
【００１４】
【発明の実施の形態】
以下、本発明の実施形態を図面に基づいて説明する。
図１は本発明の一実施形態に係る標示杭を示す斜視図、図２はその縦断面図である。この標示杭Ａは、図１に示すように、地盤２０に一部もしくは全部が埋入されて、土地の境界表示や区画番号、基準点からの距離、測量点などの地理的情報を標示するものである。標示杭Ａは、図２に示すように、軸方向に細長い杭本体１と、この杭本体１の頭部を覆うキャップ２と、キャップ２の頂面２ｂに設けられ測量点を示す蓋４とを有している。杭本体１の中心部に、抜止め部材３が軸方向に沿って移動自在に挿入され、杭本体１の先端部１ａには、前記抜止め部材３を杭本体先端部１ａの側方へ押し出すための進出孔５が設けられている。
【００１５】
杭本体１は、樹脂またはコンクリートとのような材料からなる成形体６と、成形体６の中心部に配置されて軸方向に延びる保持部材８とを有している。成形体６は、一般の樹脂製品の成形時に生じる樹脂かすや樹脂製品の廃物などを原料とするリサイクル樹脂からなる。
【００１６】
保持部材８は、図２のように、先端部８ａを弾頭形状とした例えば鋳鋼からなる管体であって、成形体６を軸方向に貫通しており、その先端部８ａには、内部の中空孔９から先端部８ａの外方に貫通する前記進出孔５が周方向に等間隔に分配して複数（ここでは３つ）設けられている。この保持部材８の中空孔９で形成された挿入孔に鋼製の棒材からなる前記抜止め部材３が３本挿入される。これらの抜止め部材３の基端は、保持部材８の挿入孔９に軸方向に移動自在に挿入された基板１０に溶接されることで、互いに接合されている。各抜止め部材３は、標示杭Ａを地盤２０に埋入する前には、それらの先端が図３（Ａ）のように前記保持部材８の各進出孔５内に収められて外部に殆ど突出しない状態とされ、これらの進出孔５から押し出されることにより、図３（Ｂ）および（Ｃ）に示すように、進出孔５の内面によってらせん状に曲成されて杭本体１から側方へ突出するように設定されている。保持部材８は、その基端がキャップ２の頂壁を貫通するように設けられて、保持部材８の基端に形成されたフランジ部８ｂでキャップ１の頂面２ｂに係止され、保持部材８の先端部８ａは成形体６の先端部６ｂから露出している。
【００１７】
成形体６は、図１に示すように、前記キャップ２で被覆される頭部６ａ側が四角柱状に形成され、胴部６ｃは、頭部６ａに比して縮径された多角形の角柱状に形成されている。成形体６の先端部６ｂは先細りとなっており、この先端部８ｂから突出した保持部材８の先端部８ａは丸味のある弾頭形状となっている。キャップ２は、例えばステンレス鋼やアルミニウムのような金属または樹脂等からなる。
【００１８】
前記成形体６は、例えば、抜止め部材３を内部に挿入した前記保持部材８と、前記キャップ２とを図２のように組み合わせた状態で成形型の中に入れて樹脂材料を充填する、インサート成形により製造される。成形体６をコンクリートで成形するときには、成形型の中に、保持部材８とキャップ２とを入れた状態で、コクリートを流し込む。成形体６を石柱から切り出すときは、石柱の中心部に挿入孔を加工して、その挿入孔に保持部材８を挿入する。この場合、キャップは必要に応じて装着する。
【００１９】
また、成形体６は、その表面に、軸方向に延びる複数のフィン（図示せず）を例えば横断面十字状に形成して、杭本体１の埋入時に杭本体１が回転するのを防止する効果を上げるようにするなど、種々の形状のものを採用できる。
【００２０】
標示杭Ａの蓋４は金属、樹脂またはセラミックからなり、その下面には、図４に示すように、下方に向けて縮径するテーパ状の嵌合筒部１４が一体に形成され、この嵌合筒部１４は下端から軸方向に延びる切欠部１４ａを有する。この蓋４は、後述するように、杭本体１を地盤２０に埋入した後で、杭本体１の頂面２ｂに露出する前記保持部材８の挿入孔９の基端開口９０に前記嵌合筒部１４を圧入嵌合させることによって、キャップ１の頂面２ｂ、つまり標示杭１の頂面に固定される。これにより、杭本体１の頂面２ｂに開口する挿入孔９の基端開口９０が蓋４により覆われる。
【００２１】
次に、図３を参照して、上記標示杭Ａの埋設方法について説明する。
先ず、杭本体１を図３（Ａ）のように地盤２０に打ち込む。このとき、保持部材８の内部に挿入された各抜止め部材３の先端は、杭本体先端部１ａの各進出孔５に収納された状態であるため、抜止め部材３が杭本体１の打ち込みの妨げになることはなく、地盤２０への杭本体１の埋入を容易に行うことができる。
【００２２】
次に、杭本体１の頂面２ｂに露出する基端開口９０から挿入孔９内に棒状の工具３０を挿入し、この工具３０を上からハンマーで叩くなどして、下方に押し込むことにより、挿入孔９内の基板１０を介して抜止め部材３を、図３（Ｂ）のように、杭本体先端部１ａの各進出孔５から押し出し、最終的に、図３（Ｃ）で示すねじれた形状にする。これにより、各抜き止め部材３が、螺旋の一部を形成する形状の進出孔５の内面によってらせん状に曲成されて、杭本体１から側方に突出する。抜止め部材３の杭本体１の胴部６Ｃから側方への突出量Ｂは、胴部６Ｃの幅Ｄの０．３〜２倍、好ましくは０．５〜１．５倍、より好ましくは０．７〜１．２倍である。
【００２３】
このように、杭本体１を地盤２０に埋入した後、挿入孔９の基端開口９０に、蓋４の嵌合筒部１４を圧入することで（図４）、キャップ１の頂面２ｂに蓋４を固定する。これにより、キャップ１の頂面２ｂに露出する挿入孔９の開口９０が蓋４によって覆われる。すなわち、測量点を示す蓋４を、挿入孔９の開口９０を被覆する被覆部材に兼用できるので、部材点数を低減できる。
【００２４】
このように、この標示杭Ａでは、軸方向に移動可能に中心部に挿入された抜止め部材３が、杭本体１の先端部１ａの進出孔５から押し出されることにより、進出孔５の内面によって曲成されて杭本体１から側方へ突出するので、抜止め部材３が地盤２０に噛み込む形となり、標示杭Ａの引き抜きに対する大きな抵抗となる。しかも、抜止め部材３の残りの部分、つまり挿入孔９内に残っている部分が、杭本体１の中心部に強固に保持されるので、抜止め部材３が杭本体１から離脱しにくい。その結果、標示杭Ａのいたずら等による標示杭Ａの引き抜きを困難にすることができる。
【００２５】
【発明の効果】
以上のように、本発明によれば、軸方向に移動可能に中心部に挿入された抜止め部材が、杭本体の先端部の進出孔から押し出されることにより、進出孔の内面によって曲成されて杭本体から側方へ突出するように設定されているので、抜止め部材が標示杭の引き抜きに対する抵抗となり、しかも、杭本体に強固に保持されるので、標示杭のいたずら等による引き抜きを困難にすることができる。
【００２６】
また、本発明の標示杭の埋設方法によれば、杭本体の先端部の進出孔からの抜止め部材の押し出しは、標示杭を地盤に埋入したのちに行うので、抜止め部材が標示杭の地盤への埋入の妨げにならず、標示杭の埋入を容易に行うことができるとともに、埋入後の標示杭の引き抜きを効果的に防止できる。
【図面の簡単な説明】
【図１】本発明の一実施形態に係る標示杭を示す斜視図である。
【図２】同標示杭の縦断面図である。
【図３】同標示杭の埋設方法を示す工程図である。
【図４】杭本体の頂面への蓋の固定方法を示す分解斜視図である。
【符号の説明】
Ａ…標示杭、１…杭本体、１ａ…杭本体先端部、２…キャップ、２ｂ…キャップ頂面（標示杭の頂面）、３…抜止め部材、４…蓋、５…進出孔、８…保持部材、９…挿入孔、２０…地盤、９０…開口
【図１】
2004239818.tif 000003
【図２】
2004239818.tif 000004
【図３】
2004239818.tif 000005
【図４】
2004239818.tif 000006